(57)【特許請求の範囲】
【請求項１】
筐体と、
前記筐体上面の長手方向の一方の端部に取り付けられたオペレータ用ディスプレイと、
前記筐体上面の長手方向の他方の端部に取り付けられたカスタマ用ディスプレイと、を備え、
前記オペレータ用ディスプレイ及び前記カスタマ用ディスプレイが、互いに背面が向き合うと共にそれぞれの横方向の中心点が前記筐体の長手方向の中心線を通るように配置されており、
前記オペレータ用ディスプレイが、前記オペレータ用ディスプレイを支持すると共に前記オペレータ用ディスプレイを水平方向に所定の角度以下で回動可能とするオペレータ側回動軸を有し、
前記カスタマ用ディスプレイが、前記カスタマ用ディスプレイを支持すると共に前記カスタマ用ディスプレイを水平方向に所定の角度以下で回動可能とするカスタマ側回動軸を有し、
前記オペレータ側回動軸の回動中心が、前記中心線から離間する位置であり、
前記カスタマ側回動軸の回動中心が、前記中心線に対して前記オペレータ側回動軸と反対側に離間する位置であり、
前記オペレータ用ディスプレイが、前記オペレータ側回動軸の前記回動中心からの距離が短い方の横端面が前記カスタマ用ディスプレイに近づくように、前記オペレータ側回動軸を中心として９０°回動し、
前記カスタマ用ディスプレイが、前記オペレータ用ディスプレイと同一の方向に、前記カスタマ側回動軸を中心として９０°回動し、
前記オペレータ用ディスプレイが９０°回動する際に、前記オペレータ用ディスプレイと、前記カスタマ用ディスプレイと、が干渉せず、
前記カスタマ用ディスプレイが９０°回動する際に、前記カスタマ用ディスプレイと、前記オペレータ用ディスプレイと、が干渉しない、
ＰＯＳ端末装置。
【請求項２】
前記オペレータ側回動軸の前記回動中心に近い方の前記オペレータ用ディスプレイの横端面から前記オペレータ側回動軸の前記回動中心までの距離が、前記オペレータ側回動軸の前記回動中心から前記カスタマ側回動軸の前記回動中心までの距離を前記筐体の長手方向に投影した距離より短く、
前記カスタマ側回動軸の前記回動中心に近い方の前記カスタマ用ディスプレイの横端面から前記カスタマ側回動軸の前記回動中心までの距離が、前記カスタマ側回動軸の前記回動中心から前記オペレータ側回動軸の前記回動中心までの距離を前記筐体の長手方向に投影した距離より短い、
請求項１に記載のＰＯＳ端末装置。
【請求項３】
前記オペレータ用ディスプレイと前記カスタマ用ディスプレイとの間の距離は、前記オペレータ用ディスプレイの前記オペレータ側回動軸の中心と前記カスタマ用ディスプレイの前記カスタマ側回動軸の中心の両方が、前記中心線上にあった場合、前記オペレータ用ディスプレイが、９０度回動しようとした時、前記カスタマ側回動軸を含む前記カスタマ用ディスプレイと干渉し、前記カスタマ用ディスプレイが、９０度回動しようとした時、前記オペレータ側回動軸を含む前記オペレータ用ディスプレイと干渉する距離である、請求項１に記載のＰＯＳ端末装置。
【請求項４】
筐体と、
前記筐体上面の長手方向の一方の端部に取り付けられたオペレータ用ディスプレイと、
前記筐体上面の長手方向の他方の端部に取り付けられたカスタマ用ディスプレイと、を備え、
前記オペレータ用ディスプレイ及び前記カスタマ用ディスプレイが、互いに背面が向き合うと共にそれぞれの横方向の中心点が前記筐体の長手方向の中心線を通るように配置されており、
前記オペレータ用ディスプレイが、前記オペレータ用ディスプレイを支持すると共に前記オペレータ用ディスプレイを水平方向に所定の角度以下で回動可能とするオペレータ側回動軸を有し、
前記カスタマ用ディスプレイが、前記カスタマ用ディスプレイを支持すると共に前記カスタマ用ディスプレイを水平方向に所定の角度以下で回動可能とするカスタマ側回動軸を有し、
前記オペレータ側回動軸の回動中心が、前記中心線から離間する位置であり、
前記カスタマ側回動軸の回動中心が、前記中心線上の位置であり、
前記オペレータ用ディスプレイが、前記オペレータ側回動軸の前記回動中心からの距離が短い方の横端面が前記カスタマ用ディスプレイに近づくように、前記オペレータ側回動軸を中心として９０°回動し、
前記オペレータ用ディスプレイが９０°回動する際に、前記オペレータ用ディスプレイと、前記カスタマ用ディスプレイと、が干渉しない、
ＰＯＳ端末装置。
【請求項５】
筐体と、
前記筐体上面の長手方向の一方の端部に取り付けられたオペレータ用ディスプレイと、
前記筐体上面の長手方向の他方の端部に取り付けられたカスタマ用ディスプレイと、を備え、
前記オペレータ用ディスプレイ及び前記カスタマ用ディスプレイが、互いに背面が向き合うと共にそれぞれの横方向の中心点が前記筐体の長手方向の中心線を通るように配置されており、
前記オペレータ用ディスプレイが、前記オペレータ用ディスプレイを支持すると共に前記オペレータ用ディスプレイを水平方向に所定の角度以下で回動可能とするオペレータ側回動軸を有し、
前記カスタマ用ディスプレイが、前記カスタマ用ディスプレイを支持すると共に前記カスタマ用ディスプレイを水平方向に所定の角度以下で回動可能とするカスタマ側回動軸を有し、
前記カスタマ側回動軸の回動中心が、前記中心線から離間する位置であり、
前記オペレータ側回動軸の回動中心が、前記中心線上の位置であり、
前記カスタマ用ディスプレイが、前記カスタマ側回動軸の前記回動中心からの距離が短い方の横端面が前記オペレータ用ディスプレイに近づくように、前記カスタマ側回動軸を中心として９０°回動する、
前記カスタマ用ディスプレイが９０°回動する際に、前記オペレータ用ディスプレイと、前記カスタマ用ディスプレイと、が干渉しない、
ＰＯＳ端末装置。
【請求項６】
前記オペレータ用ディスプレイの横方向の長さ及び前記カスタマ用ディスプレイの横方向の長さが、前記筐体の上面の短手方向の長さよりも長く、前記筐体の上面の長手方向の長さよりも長い、
請求項１〜５のいずれか一項に記載のＰＯＳ端末装置。
【発明の詳細な説明】
【技術分野】
【０００１】
本発明は、ＰＯＳ端末装置に関する。
【背景技術】
【０００２】
多くの小売店等の店舗において、顧客の支払う代金の決済を行うために、ＰＯＳ（Point Of Sales）端末装置が導入されている。従業員が入力情報等を確認するためのオペレータ用ディスプレイと、顧客が支払い金額等を確認するためのカスタマ用ディスプレイと、を備えるＰＯＳ端末装置が知られている。例えば特許文献１には、ＰＯＳ端末装置本体と、店員に向けて情報を表示する画面を備える店員用表示装置と、顧客に向けて情報を表示する画面を備えた表示部を有する顧客用表示装置と、を備えるＰＯＳ端末装置が開示されている。
【先行技術文献】
【特許文献】
【０００３】
【特許文献１】特開２０１６−０９１１０６号公報
【発明の概要】
【発明が解決しようとする課題】
【０００４】
オペレータ用ディスプレイ及びカスタマ用ディスプレイは、画面の視認性の観点から、大きいことが好ましい。ＰＯＳ端末装置の筐体（本体部）は、設置スペースの観点から、小さいことが好ましい。また、オペレータ用ディスプレイとカスタマ用ディスプレイのいずれかを水平方向に９０°回動させたいというユーザの要望がある。しかしながら、筐体のサイズに比して大きなサイズのオペレータ用ディスプレイとカスタマ用ディスプレイのいずれかを水平方向に９０°回動させようとすると、一方のディスプレイが他方のディスプレイと干渉してぶつかる虞がある。
【０００５】
本発明は、このような問題点に鑑みなされたものであり、筐体のサイズに比してオペレータ用ディスプレイとカスタマ用ディスプレイのサイズが大きい場合でも、オペレータ用ディスプレイとカスタマ用ディスプレイのいずれかを、一方のディスプレイが他方のディスプレイと干渉することなく、水平方向に９０°回動させることが可能であるＰＯＳ端末装置を提供することを目的とする。
【課題を解決するための手段】
【０００６】
本発明の一態様に係るＰＯＳ端末装置は、
筐体と、
前記筐体上面の長手方向の一方の端部に取り付けられたオペレータ用ディスプレイと、
前記筐体上面の長手方向の他方の端部に取り付けられたカスタマ用ディスプレイと、を備え、
前記オペレータ用ディスプレイ及び前記カスタマ用ディスプレイが、互いに背面が向き合うと共にそれぞれの横方向の中心点が前記筐体の長手方向の中心線を通るように配置されており、
前記オペレータ用ディスプレイが、前記オペレータ用ディスプレイを支持すると共に前記オペレータ用ディスプレイを水平方向に所定の角度以下で回動可能とするオペレータ側回動軸を有し、
前記カスタマ用ディスプレイが、前記カスタマ用ディスプレイを支持すると共に前記カスタマ用ディスプレイを水平方向に所定の角度以下で回動可能とするカスタマ側回動軸を有し、
前記オペレータ側回動軸の回動中心が、前記中心線から離間する位置であり、
前記カスタマ側回動軸の回動中心が、前記中心線に対して前記オペレータ側回動軸と反対側に離間する位置であり、
前記オペレータ用ディスプレイが、前記オペレータ側回動軸の前記回動中心からの距離が短い方の横端面が前記カスタマ用ディスプレイに近づくように、前記オペレータ側回動軸を中心として９０°回動し、
前記カスタマ用ディスプレイが、前記オペレータ用ディスプレイと同一の方向に、前記カスタマ側回動軸を中心として９０°回動する。
【０００７】
本発明の他の態様に係るＰＯＳ端末装置は、
筐体と、
前記筐体上面の長手方向の一方の端部に取り付けられたオペレータ用ディスプレイと、
前記筐体上面の長手方向の他方の端部に取り付けられたカスタマ用ディスプレイと、を備え、
前記オペレータ用ディスプレイ及び前記カスタマ用ディスプレイが、互いに背面が向き合うと共にそれぞれの横方向の中心点が前記筐体の長手方向の中心線を通るように配置されており、
前記オペレータ用ディスプレイが、前記オペレータ用ディスプレイを支持すると共に前記オペレータ用ディスプレイを水平方向に所定の角度以下で回動可能とするオペレータ側回動軸を有し、
前記カスタマ用ディスプレイが、前記カスタマ用ディスプレイを支持すると共に前記カスタマ用ディスプレイを水平方向に所定の角度以下で回動可能とするカスタマ側回動軸を有し、
前記オペレータ側回動軸の回動中心が、前記中心線から離間する位置であり、
前記カスタマ側回動軸の回動中心が、前記中心線上の位置であり、
前記オペレータ用ディスプレイが、前記オペレータ側回動軸の前記回動中心からの距離が短い方の横端面が前記カスタマ用ディスプレイに近づくように、前記オペレータ側回動軸を中心として９０°回動し、
前記カスタマ用ディスプレイが、前記オペレータ用ディスプレイと同一の方向に、前記カスタマ側回動軸を中心として回動する。
【０００８】
本発明の他の態様に係るＰＯＳ端末装置は、
筐体と、
前記筐体上面の長手方向の一方の端部に取り付けられたオペレータ用ディスプレイと、
前記筐体上面の長手方向の他方の端部に取り付けられたカスタマ用ディスプレイと、を備え、
前記オペレータ用ディスプレイ及び前記カスタマ用ディスプレイが、互いに背面が向き合うと共にそれぞれの横方向の中心点が前記筐体の長手方向の中心線を通るように配置されており、
前記オペレータ用ディスプレイが、前記オペレータ用ディスプレイを支持すると共に前記オペレータ用ディスプレイを水平方向に所定の角度以下で回動可能とするオペレータ側回動軸を有し、
前記カスタマ用ディスプレイが、前記カスタマ用ディスプレイを支持すると共に前記カスタマ用ディスプレイを水平方向に所定の角度以下で回動可能とするカスタマ側回動軸を有し、
前記カスタマ側回動軸の回動中心が、前記中心線から離間する位置であり、
前記オペレータ側回動軸の回動中心が、前記中心線上の位置であり、
前記カスタマ用ディスプレイが、前記カスタマ側回動軸の前記回動中心からの距離が短い方の横端面が前記オペレータ用ディスプレイに近づくように、前記カスタマ側回動軸を中心として９０°回動し、
前記オペレータ用ディスプレイが、前記カスタマ用ディスプレイと同一の方向に、前記カスタマ側回動軸を中心として回動する。
【発明の効果】
【０００９】
本発明によれば、筐体のサイズに比してオペレータ用ディスプレイとカスタマ用ディスプレイのサイズが大きい場合でも、オペレータ用ディスプレイとカスタマ用ディスプレイのいずれかを、一方のディスプレイが他方のディスプレイと干渉することなく水平方向に９０°回動可能であるＰＯＳ端末装置を提供することができる。
【図面の簡単な説明】
【００１０】
【図１】第１の実施形態に係るＰＯＳ端末装置の第１形態の斜視図である。
【図２】第１の実施形態に係るＰＯＳ端末装置の第１形態の正面図である。
【図３】第１の実施形態に係るＰＯＳ端末装置の第１形態の側面図である。
【図４】第１の実施形態に係るＰＯＳ端末装置の第１形態の背面図である。
【図５】第１の実施形態に係るＰＯＳ端末装置の第１形態の上面図である。
【図６】第１の実施形態に係るＰＯＳ端末装置の第２形態の斜視図である。
【図７】第１の実施形態に係るＰＯＳ端末装置の第２形態の上面図である。
【図８】第１の実施形態に係るＰＯＳ端末装置の第３形態の斜視図である。
【図９】第１の実施形態に係るＰＯＳ端末装置の第３形態の上面図である。
【図１０】第１の実施形態に係るＰＯＳ端末装置の第４形態の斜視図である。
【図１１】第１の実施形態に係るＰＯＳ端末装置の第４形態の上面図である。
【発明を実施するための形態】
【００１１】
以下、本発明を適用した具体的な実施の形態について、図面を参照しながら詳細に説明する。ただし、本発明が以下の実施の形態に限定される訳ではない。また、説明を明確にするため、以下の記載及び図面は、適宜、簡略化されている。
【００１２】
（第１の実施形態）
第１の実施形態に係るＰＯＳ端末装置は、第１形態〜第４形態の４つの形態で使用可能である。まず、第１の実施形態に係るＰＯＳ端末装置の第１形態について、図１〜５を参照して説明する。図１は、第１の実施形態に係るＰＯＳ端末装置の第１形態の斜視図である。図２は、第１の実施形態に係るＰＯＳ端末装置の第１形態の正面図である。図３は、第１の実施形態に係るＰＯＳ端末装置の第１形態の側面図である。図４は、第１の実施形態に係るＰＯＳ端末装置の第１形態の背面図である。図５は、第１の実施形態に係るＰＯＳ端末装置の第１形態の上面図である。
【００１３】
（第１形態）
ＰＯＳ端末装置１の第１形態は、オペレータ用ディスプレイ３及びカスタマ用ディスプレイ４がいずれも水平方向に回動していない形態である。図１に示すように、ＰＯＳ端末装置１は、筐体２、オペレータ用ディスプレイ３、及びカスタマ用ディスプレイ４を備える。図５に示すように、オペレータ用ディスプレイ３は、オペレータ側回動軸３１を備える。カスタマ用ディスプレイ４は、カスタマ側回動軸４１を備える。なお、当然のことながら、図１及びその他の図面に示した右手系ｘｙｚ直交座標は、構成要素の位置関係を説明するための便宜的なものである。ｚ軸正方向が鉛直上向き、ｘｙ平面が水平面であり、図面間で共通である。
【００１４】
筐体２は、上面視で細長の部材である。筐体２は、具体的には、例えば図１に示すように、上面が略長方形状の略長方体である。また、筐体２は、上面が楕円形状の構造体等であってもよい。筐体２には、制御部として機能する制御基板等が格納されている。筐体２に格納された制御部は、オペレータ用ディスプレイ３やカスタマ用ディスプレイ４を含め、装置全体の制御を行う。
【００１５】
ＰＯＳ端末装置１の上面には、オペレータ用ディスプレイ３と、カスタマ用ディスプレイ４と、が取り付けられている。オペレータ用ディスプレイ３は、筐体２上面の長手方向の一方の端部（端辺近傍）に取り付けられている。カスタマ用ディスプレイ４は、筐体２上面の長手方向の他方の端部（端辺近傍）に取り付けられている。図１に示す筐体２が有する６つの面のうち、短手方向に平行であり、かつ、オペレータ用ディスプレイ３が取り付けられている側の面を、筐体２の正面とする。筐体２の正面に平行であり、かつ、カスタマ用ディスプレイ４が取り付けられている側の面を、筐体２の背面とする。筐体２の長手方向に平行であり、かつ、鉛直方向に平行な２つの面を、筐体２の側面とする。
【００１６】
ＰＯＳ端末装置１は、バーコードリーダやプリンタ等の付属装置が接続されて使用される。付属装置は、接続ケーブルを用いて筐体２に接続される。筐体２の底面には、図示しない接続孔が設けられている。付属装置は、筐体２に設けられた接続孔を経由した接続ケーブルによって、筐体２に格納された制御基板の回路に接続される。筐体２の正面には、図２に示すように、電源スイッチ１１、電源のＯＮ／ＯＦＦ状態を示すＬＥＤを含む複数のＬＥＤ１２、及びオペレータ向けスピーカー孔１３が設けられている。筐体２の上面には、図５に示すように、カスタマ向けスピーカー孔１４が設けられている。筐体２が有する２つの側面には、図３に示すように、それぞれ通気孔１５が設けられている。以上で説明した筐体２に設けられる各構成の配置は、適宜変更可能である。また、不要な場合は設けなくてもよい。
【００１７】
オペレータ用ディスプレイ３は、図２等に示すように、オペレータ（従業員）が入力情報等を確認するための情報を表示する画面を有する。オペレータ用ディスプレイ３が有する画面にはタッチパネルが重畳されており、オペレータは、当該タッチパネルを操作してＰＯＳ端末装置１に支払情報等を入力することができる。オペレータ用ディスプレイ３は、オペレータ側回動軸３１を有する。オペレータ側回動軸３１は、鉛直方向に延びる回動軸である。オペレータ側回動軸３１は、オペレータ用ディスプレイ３を支持すると共にオペレータ用ディスプレイ３を水平方向に所定角度まで回動可能である。
【００１８】
カスタマ用ディスプレイ４は、図４等に示すように、カスタマ（顧客）が支払い金額等を確認するための情報を表示する画面を有する。カスタマ用ディスプレイ４が有する画面は、タッチパネルが重畳されていてもよいし、されていなくてもよい。カスタマ用ディスプレイ４は、カスタマ側回動軸４１を有する。カスタマ側回動軸４１は、鉛直方向に延びる回動軸である。カスタマ側回動軸４１は、カスタマ用ディスプレイ４を支持すると共にカスタマ用ディスプレイ４を水平方向に所定角度まで回動可能である。
【００１９】
オペレータ用ディスプレイ３の画面が形成されている面を、オペレータ用ディスプレイ３の正面とする。画面が形成されていない面を、オペレータ用ディスプレイ３の背面とする。カスタマ用ディスプレイ４の画面が形成されている面を、カスタマ用ディスプレイ４の正面とする。画面が形成されていない面を、カスタマ用ディスプレイ４の背面とする。図１等に示すように、オペレータ用ディスプレイ３及びカスタマ用ディスプレイ４は、互いに背面が向き合うように配置されている。また、図５に示す二点鎖線は、筐体２の長手方向の中心線である。オペレータ用ディスプレイ３及びカスタマ用ディスプレイ４は、図５に示すように、それぞれの横方向の中心点が当該中心線を通り、かつ、正面が筐体２の短手方向と平行になるように配置されている。
【００２０】
オペレータ用ディスプレイ３及びカスタマ用ディスプレイ４の大きさは、特に限定されないが、視認性の観点から、大きいことが好ましい。本実施形態においては、図５等に示すように、オペレータ用ディスプレイ３及びカスタマ用ディスプレイ４の横方向の長さが、筐体２の短手方向の長さよりも長く、筐体２の長手方向の長さよりも長い。オペレータ用ディスプレイ３及びカスタマ用ディスプレイ４の大きさは、図５に示すように同一又は略同一であってもよく、異なっていてもよい。オペレータ用ディスプレイ３及びカスタマ用ディスプレイ４の大きさが同一である場合、オペレータ用ディスプレイ３及びカスタマ用ディスプレイ４として同一の部品を用いることができる。
【００２１】
オペレータ用ディスプレイ３の正面に連続する４つの面のうち、筐体２の上面に平行かつ筐体２からの距離が遠い方の面を、上端面とする。また、オペレータ用ディスプレイ３の正面に接している４つの面のうち、筐体２の側面に平行な２つの面を、横端面とする。オペレータ用ディスプレイ３は、オペレータ側回動軸３１にヒンジを介して取り付けられている。したがって、オペレータ用ディスプレイ３は、上端面をカスタマ用ディスプレイ４に近づけるように、すなわち、鉛直方向に、当該ヒンジを中心として回動可能である。回動角度は、特に限定されないが、例えば、０°以上４５°以下である。当該ヒンジを中心としてオペレータ用ディスプレイ３を回動させることによって、オペレータの目線に合わせてオペレータ用ディスプレイ３の画面の向きを調節することができる。
【００２２】
オペレータ側回動軸３１は、回動中心が筐体２の長手方向の中心線から離間する位置に配置されている。図５に示す例では、オペレータ側回動軸３１は、筐体２の長手方向の中心線よりもｘ軸正方向側に配置されている。オペレータ側回動軸３１は、オペレータ側回動軸３１の回動中心からの距離が短い方の横端面がカスタマ用ディスプレイ４に近づくようにオペレータ用ディスプレイ３を回動させるように、所定の角度以下で回動可能である。所定角度とは、図５において、反時計回りに９０°で、時計回りに３０°である。なお、オペレータ側回動軸３１とカスタマ側回動軸４１とが、筐体２の長手方向の中心線上にあった場合、オペレータ用ディスプレイ３を９０°回動させようとすると、オペレータ用ディスプレイ３はカスタマ側回動軸４１と干渉する。すなわち、オペレータ側回動軸３１とカスタマ側回動軸４１とが、筐体２の長手方向の中心線上にあった場合、オペレータ用ディスプレイ３とカスタマ用ディスプレイ４とは、オペレータ用ディスプレイ３を９０°回動させることができない距離に配置されている。
【００２３】
カスタマ用ディスプレイ４の正面に接している４つの面のうち、筐体２の上面に平行かつ筐体２からの距離が遠い方の面を、上端面とする。また、カスタマ用ディスプレイ４の正面に接している４つの面のうち、筐体２の側面に平行な２つの面を、横端面とする。カスタマ用ディスプレイ４は、カスタマ側回動軸４１にヒンジを介して取り付けられている。したがって、カスタマ用ディスプレイ４は、上端面をオペレータ用ディスプレイ３に近づけるように、すなわち、鉛直方向に、当該ヒンジを中心として回動可能である。回動角度は、特に限定されないが、例えば、０°以上４５°以下である。当該ヒンジを中心としてカスタマ用ディスプレイ４を回動させることによって、カスタマの目線に合わせてカスタマ用ディスプレイ４の画面の向きを調節することができる。
【００２４】
カスタマ側回動軸４１は、回動中心が筐体２の長手方向の中心線からオペレータ側回動軸３１と反対側に離間する位置に配置されている。図５に示す例では、カスタマ側回動軸４１の回動中心とオペレータ側回動軸３１の回動中心とは、筐体２の長手方向の中心線上の点を中心として点対称又は略点対称である。図５に示す例では、カスタマ側回動軸４１は、筐体２の長手方向の中心線よりもｘ軸負方向側に配置されている。カスタマ側回動軸４１は、カスタマ側回動軸４１の回動中心からの距離が短い方の横端面がオペレータ用ディスプレイ３に近づくようにカスタマ用ディスプレイ４を回動させるように、所定の角度以下で回動可能である。換言すると、カスタマ側回動軸４１は、オペレータ側回動軸３１と同一の方向に回動可能である。所定角度とは、図５において、反時計回りに９０°で、時計回りに３０°である。なお、オペレータ側回動軸３１とカスタマ側回動軸４１とが、筐体２の長手方向の中心線上にあった場合、カスタマ用ディスプレイ４を９０°回動させようとすると、カスタマ用ディスプレイ４はオペレータ側回動軸３１と干渉する。すなわち、オペレータ側回動軸３１とカスタマ側回動軸４１とが、筐体２の長手方向の中心線上にあった場合、オペレータ用ディスプレイ３とカスタマ用ディスプレイ４とは、カスタマ用ディスプレイ４を９０°回動させることができない距離に配置されている。
【００２５】
（第２形態）
次に、図６及び図７を参照して、第１の実施形態に係るＰＯＳ端末装置の第２形態について説明する。図６は、第１の実施形態に係るＰＯＳ端末装置の第２形態の斜視図である。図７は、第１の実施形態に係るＰＯＳ端末装置の第２形態の上面図である。ＰＯＳ端末装置１の第２形態は、オペレータ用ディスプレイ３が水平方向に回動しており、かつ、カスタマ用ディスプレイ４が水平方向に回動していない形態である。図６及び図７に示す例では、オペレータ用ディスプレイ３が水平方向に９０°回動している。したがって、オペレータ用ディスプレイ３とカスタマ用ディスプレイ４とは、９０°の角度を成している。
【００２６】
図７に示すように、オペレータ側回動軸３１の回動中心に近い方のオペレータ用ディスプレイ３の横端面から筐体２の正面までの距離は、カスタマ用ディスプレイ４の背面から筐体２の正面までの距離よりも、短い。したがって、オペレータ用ディスプレイ３を水平方向に９０°回動させた場合に、オペレータ用ディスプレイ３とカスタマ用ディスプレイ４とが干渉しない。これは、第１形態において説明したように、オペレータ側回動軸３１が、筐体２の長手方向の中心線から離間して配置されていることによる。なお、カスタマ側回動軸４１も、筐体２の長手方向の中心線から離間して配置されているが、カスタマ側回動軸４１が筐体２の長手方向の中心線上に配置されていたとしても、オペレータ用ディスプレイ３を水平方向に９０°回動させた場合に、オペレータ用ディスプレイ３とカスタマ用ディスプレイ４とが干渉することはない。第２形態のＰＯＳ端末装置１は、店舗カウンターの角部又は端部等に好適に設置される。
【００２７】
（第３形態）
次に、図８及び図９を参照して、第１の実施形態に係るＰＯＳ端末装置の第３形態について説明する。図８は、第１の実施形態に係るＰＯＳ端末装置の第３形態の斜視図である。図９は、第１の実施形態に係るＰＯＳ端末装置の第３形態の上面図である。ＰＯＳ端末装置１の第３形態は、オペレータ用ディスプレイ３が水平方向に回動しておらず、かつ、カスタマ用ディスプレイ４が水平方向に回動している形態である。図８及び図９に示す例では、カスタマ用ディスプレイ４が水平方向に９０°回動している。したがって、オペレータ用ディスプレイ３とカスタマ用ディスプレイ４とは、９０°の角度を成している。
【００２８】
図９に示すように、カスタマ側回動軸４１の回動中心に近い方のカスタマ用ディスプレイ４の横端面から筐体２の背面までの距離は、オペレータ用ディスプレイ３の背面から筐体２の背面までの距離よりも短い。したがって、カスタマ用ディスプレイ４を水平方向に９０°回動させた場合に、オペレータ用ディスプレイ３とカスタマ用ディスプレイ４とが干渉しない。これは、第１形態において説明したように、カスタマ側回動軸４１が、筐体２の長手方向の中心線から離間して配置されていることによる。なお、オペレータ側回動軸３１も、筐体２の長手方向の中心線から離間して配置されているが、オペレータ側回動軸３１が筐体２の長手方向の中心線上に配置されていたとしても、カスタマ用ディスプレイ４を水平方向に９０°回動させた場合に、オペレータ用ディスプレイ３とカスタマ用ディスプレイ４とが干渉することはない。第３形態のＰＯＳ端末装置１は、店舗カウンターの角部又は端部等に好適に設置される。
【００２９】
（第４形態）
次に、図１０及び図１１を参照して、第１の実施形態に係るＰＯＳ端末装置の第４形態について説明する。図１０は、第１の実施形態に係るＰＯＳ端末装置の第４形態の斜視図である。図１１は、第１の実施形態に係るＰＯＳ端末装置の第４形態の上面図である。ＰＯＳ端末装置１の第４形態は、オペレータ用ディスプレイ３及びカスタマ用ディスプレイ４がいずれも水平方向に回動している形態である。
【００３０】
図１０及び図１１に示す例では、オペレータ用ディスプレイ３及びカスタマ用ディスプレイ４がいずれも水平方向に９０°回動している。したがって、オペレータ用ディスプレイ３とカスタマ用ディスプレイ４とは、互いに背面が向き合うように平行になっている。ＰＯＳ端末装置１の第４形態は、第１形態に比較して、オペレータ用ディスプレイ３とカスタマ用ディスプレイ４との距離が短い。そのため、第４形態のＰＯＳ端末装置１は、幅が狭い店舗カウンターに好適に設置される。
【００３１】
また、ＰＯＳ端末装置１の設置スペースの観点から、ＰＯＳ端末装置１は、第４形態において、オペレータ用ディスプレイ３の回動中心から遠い方の横端面と、カスタマ用ディスプレイ４の回動中心から遠い方の横端面と、の長手方向の距離が短いことが好ましい。つまり、ディスプレイの回動軸同士の長手方向の距離は、オペレータ用ディスプレイ３の回動中心に近い横端面と当該回動中心との距離と、カスタマ用ディスプレイ４の回動中心に近い横端面と回動中心との距離と、の和よりも好ましくは短い。以上で説明したように、ＰＯＳ端末装置１は、筐体のサイズに比してオペレータ用ディスプレイとカスタマ用ディスプレイのサイズが大きい場合でも、オペレータ用ディスプレイとカスタマ用ディスプレイのいずれかを、一方のディスプレイが他方のディスプレイと干渉することなく水平方向に９０°回動可能である。なお、筐体のサイズに比してオペレータ用ディスプレイとカスタマ用ディスプレイのサイズが大きいとは、筐体のサイズが、以下に記す支障が生じるサイズであることを意味する。すなわち、筐体のサイズが、オペレータ側回動軸とカスタマ側回動軸とを筐体の長手方向の中心線上に配置したときに、オペレータ用ディスプレイを水平方向に９０°回動させようとするとカスタマ側回動軸を含むカスタマ用ディスプレイと干渉する、もしくは、カスタマ用ディスプレイを水平方向に９０°回動させようとするとオペレータ側回動軸を含むオペレータ用ディスプレイと干渉するという支障が生じるサイズであることを意味する。
【００３２】
（第１の実施形態の変形例）
上述の実施形態では、オペレータ側回動軸３１が筐体２の長手方向の中心線よりもｘ軸正方向側に配置されており、かつ、カスタマ側回動軸４１が当該中心線よりもｘ軸負方向側に配置されている場合について説明を行った。しかしながらＰＯＳ端末装置１は、オペレータ側回動軸３１が筐体２の長手方向の中心線よりもｘ軸負方向側に配置されており、かつ、カスタマ側回動軸４１が当該中心線よりもｘ軸正方向側に配置されていてもよい。なお、この場合、オペレータ側回動軸３１及びカスタマ側回動軸４１は、それぞれ時計回りに９０°回動する。
【００３３】
（第２の実施形態）
第２の実施形態に係るＰＯＳ端末装置は、カスタマ側回動軸４１の回動中心が筐体２の長手方向の中心線上となるようにカスタマ側回動軸４１が配置されている点で、第１の実施形態に係るＰＯＳ端末装置と異なる。その他の構成については、第１の実施形態と同様であるため、重複した説明は適宜省略する。
【００３４】
第２の実施形態において、カスタマ側回動軸４１は、オペレータ側回動軸３１と同一の方向に所定の角度以下で回動する。当該所定の角度は、特に限定されないが、好ましくは０°以上９０°未満である。第２の実施形態に係るＰＯＳ端末装置は、オペレータ用ディスプレイ３を水平方向に９０°回動させた場合に、オペレータ用ディスプレイ３とカスタマ用ディスプレイ４とが干渉しない。第２の実施形態に係るＰＯＳ端末装置は、第１の実施形態に示した第１形態及び第２形態で、好適に使用される。また、第１の実施形態において説明した変形例は、第２の実施形態に係るＰＯＳ端末装置においても同様に行われる。
【００３５】
（第３の実施形態）
第３の実施形態に係るＰＯＳ端末装置は、オペレータ側回動軸３１の回動中心が筐体２の長手方向の中心線上となるようにオペレータ側回動軸３１が配置されている点で、第１の実施形態に係るＰＯＳ端末装置と異なる。その他の構成については、第１の実施形態と同様であるため、重複した説明は適宜省略する。
【００３６】
第３の実施形態において、オペレータ側回動軸３１は、カスタマ側回動軸４１と同一の方向に所定の角度以下で回動する。当該所定の角度は、特に限定されないが、好ましくは０°以上９０°未満である。第３の実施形態に係るＰＯＳ端末装置は、カスタマ用ディスプレイ４を水平方向に９０°回動させた場合に、オペレータ用ディスプレイ３とカスタマ用ディスプレイ４とが干渉しない。第３の実施形態に係るＰＯＳ端末装置は、第１の実施形態に示した第１形態及び第３形態で、好適に使用される。また、第１の実施形態において説明した変形例は、第３の実施形態に係るＰＯＳ端末装置においても同様に行われる。
【００３７】
以上で説明した実施の形態に係る発明により、筐体のサイズに比してオペレータ用ディスプレイとカスタマ用ディスプレイのサイズが大きい場合でも、オペレータ用ディスプレイとカスタマ用ディスプレイのいずれかを、一方のディスプレイが他方のディスプレイと干渉することなく水平方向に９０°回動可能であるＰＯＳ端末装置を提供することができる。
【００３８】
なお、本発明は上記実施の形態に限られたものではなく、趣旨を逸脱しない範囲で適宜変更することが可能である。
【符号の説明】
【００３９】
１  ＰＯＳ端末装置
２  筐体
１１  電源スイッチ
１２  複数のＬＥＤ
１３  オペレータ向けスピーカー孔
１４  カスタマ向けスピーカー孔
１５  通気孔
３  オペレータ用ディスプレイ
４  カスタマ用ディスプレイ
３１  オペレータ側回動軸
４１  カスタマ側回動軸
【要約】
【課題】筐体のサイズに比してオペレータ用ディスプレイとカスタマ用ディスプレイのサイズが大きい場合でも、オペレータ用ディスプレイとカスタマ用ディスプレイのいずれかを、一方のディスプレイが他方のディスプレイと干渉することなく水平方向に９０°回動可能である。
【解決手段】オペレータ側回動軸３１の回動中心が、筐体２の長手方向の中心線から離間する位置であり、カスタマ側回動軸４１の回動中心が、前記中心線に対してオペレータ側回動軸３１と反対側に離間する位置であり、オペレータ用ディスプレイ３が、オペレータ側回動軸３１の前記回動中心からの距離が短い方の横端面がカスタマ用ディスプレイ４に近づくように、オペレータ側回動軸３１を中心として水平方向に９０°回動し、カスタマ用ディスプレイ４が、オペレータ用ディスプレイ３と同一の方向に、カスタマ側回動軸４１を中心として水平方向に９０°回動するＰＯＳ端末装置。
【選択図】図１【図１】
0006760618.tif 000002
【図２】
0006760618.tif 000003
【図３】
0006760618.tif 000004
【図４】
0006760618.tif 000005
【図５】
0006760618.tif 000006
【図６】
0006760618.tif 000007
【図７】
0006760618.tif 000008
【図８】
0006760618.tif 000009
【図９】
0006760618.tif 000010
【図１０】
0006760618.tif 000011
【図１１】
0006760618.tif 000012